(57)【要約】  光学部品を位置決めする位置決め装置は、上面を通って延びるねじ穴を有する本体と、前面の中に延びるピンチャンバと、ねじ穴およびピンチャンバと連通しているボールベアリングチャネルとを備える。装置は、ボールベアリングチャネル内に配置される複数のボールベアリングと、ねじ穴の中にねじ止めされるとともに、ボールベアリングのうちの一番上のボールベアリングに結合されるねじとをさらに備える。装置は、ピンチャンバの内部に配置され、ボールベアリングのうちの一番下のボールベアリングに結合される位置決めピンであって、ねじを穴の中にねじ止めすることによってねじがボールベアリングを下方に押し進め、これによってボールベアリングが位置決めピンを押し進め、位置決めピンを本体から外へ延ばす、位置決めピンも備える。【選択図】図３
2021530650.tif 000002
【特許請求の範囲】
【請求項１】
上面、互いに対向した側面、前面、および背面を備える本体であって、前記上面を通って前記本体の中に延びるねじ穴と、前記前面を通って前記本体の中に延びるピンチャンバと、前記本体内に形成され、前記ねじ穴および前記ピンチャンバと連通しているボールベアリングチャネルとをさらに備える、本体と、
前記ボールベアリングチャネル内に配置される複数のボールベアリングと、
前記ねじ穴の中にねじ止めされるとともに、前記ボールベアリングチャネルの上端で前記ボールベアリングのうちの一番上のボールベアリングに結合されるねじと、
前記ピンチャンバの内部に配置され、前記ピンチャンバから外へ延び、前記ボールベアリングチャネルの下端で前記ボールベアリングのうちの一番下のボールベアリングに結合される位置決めピンであって、前記ねじを前記穴の中にねじ止めすることによって前記ねじが前記ボールベアリングを下方に押し進め、これによって前記ボールベアリングが前記位置決めピンを押し進め、前記位置決めピンを前記本体から外へ延ばす位置決めピンと
を備える位置決め装置。
【請求項２】
前記ボールベアリングチャネルは、ほぼＪ形を有し、前記チャネルは、前記ねじから下向きに、次いで前記本体の前記後面の方へ、次いで前記本体の前記前面の方へ延びる、請求項１に記載の装置。
【請求項３】
前記ピンチャンバの内部に配置されるばねをさらに備え、前記ばねは、前記ねじが前記本体から外されるときに、前記位置決めピンに前記ボールベアリングを上向きに押させる、請求項１に記載の装置。
【請求項４】
前記本体の前記前面に固定され、前記ピンチャンバを覆うカバー板をさらに備え、前記位置決めピンは、前記カバー板を通って延びる、請求項３に記載の装置。
【請求項５】
前記位置決めピンは、環状部分を備え、前記ばねは、前記環状部分と前記カバー板との間に張った状態で配置される、請求項４に記載の装置。
【請求項６】
前記ねじの下端と前記一番上のボールベアリングとの間に配置される下向きピンをさらに備える、請求項１に記載の装置。
【請求項７】
前記側面の一方に固定され、前記ボールベアリングチャネルを覆う側板をさらに備える、請求項１に記載の装置。
【請求項８】
前記ねじ、前記ボールベアリングチャネル、および前記ピンチャンバは、前記ねじの移動の方向および前記位置決めピンの移動の方向が互いにほぼ直角になるように構成される、請求項１に記載の装置。
【請求項９】
前記ねじ、前記ボールベアリングチャネル、および前記ピンチャンバは、前記ねじの移動の方向および前記位置決めピンの移動の方向が互いに対して９０°以外になるように構成される、請求項１に記載の装置。
【請求項１０】
前記装置は、テーブルに固定された光学要素を配置するように構成される、請求項１に記載の装置。
【請求項１１】
前記本体は、前記装置をテーブルに取り付けるための取り付けフランジを備える、請求項１に記載の装置。
【請求項１２】
トップダウンにより構成部品を位置決めする位置決め装置であって、
本体の上面にねじ止めされるねじと、
前記本体内で曲がったチャネルの内部に配置される複数のボールベアリングであって、前記ボールベアリングのうちの一番上のボールベアリングは前記ねじに結合される、ボールベアリングと、
前記本体の内部に配置され、前記本体の前面から外へ延び、前記ボールベアリングのうちの一番下のボールベアリングに結合されるピンであって、前記ねじを前記本体の中にねじ止めすることによって前記ねじが前記ボールベアリングを下方に押し進め、これによって前記ボールベアリングが前記ピンを押し進め、前記ピンを前記本体から外へ延ばす、ピンとを備える装置。
【請求項１３】
前記曲がったチャネルは、ほぼＪ形を有し、前記チャネルは、前記ねじから下向きに、次いで前記本体の後面の方へ、次いで前記本体の前記前面の方へ延びる、請求項１２に記載の装置。
【請求項１４】
前記本体の内部に配置されるばねをさらに備え、前記ばねは、前記ねじが前記本体から外されるときに、前記ピンに前記ボールベアリングを上向きに押させる、請求項１２に記載の装置。
【請求項１５】
前記本体の側面に固定され、前記曲がったチャネルを覆う側板をさらに備える、請求項１２に記載の装置。
【請求項１６】
前記ねじ、前記曲がったチャネル、および前記ピンは、前記ねじの移動の方向および前記ピンの移動の方向が互いにほぼ直角になるように構成される、請求項１２に記載の装置。
【請求項１７】
前記ねじ、前記曲がったチャネル、および前記ピンは、前記ねじの移動の方向および前記ピンの移動の方向が互いに対して９０°以外になるように構成される、請求項１２に記載の装置。
【請求項１８】
前記装置は、テーブルに固定された光学要素を配置するように構成される、請求項１２に記載の装置。
【請求項１９】
トップダウンによりテーブルに固定される光学部品を位置決めする位置決め装置であって、
上面、互いに対向した側面、前面、および背面を備える本体であって、前記上面を通って前記本体の中に延びるねじ穴と、前記前面を通って前記本体の中に延びるピンチャンバと、前記本体内に形成され、前記ねじ穴および前記ピンチャンバと連通しているボールベアリングチャネルとをさらに備え、前記ボールベアリングチャネルは、ほぼＪ形を有し、前記チャネルは、前記ねじ穴から下向きに、次いで前記本体の前記後面の方へ、次いで前記本体の前記前面の方へ延びる、本体と、
前記ボールベアリングチャネル内に配置される複数のボールベアリングと、
前記ねじ穴の中にねじ止めされるとともに、前記ボールベアリングチャネルの上端で前記ボールベアリングのうちの一番上のボールベアリングに結合されるねじと、
前記ピンチャンバの内部に配置され、前記ピンチャンバから外へ延びる位置決めピンであって、前記ボールベアリングチャネルの下端で前記ボールベアリングのうちの一番下のボールベアリングに結合される位置決めピンと、
前記ピンチャンバの内部に配置されるばねであって、前記ねじを前記穴の中にねじ止めすることによって前記ねじが前記ボールベアリングを下方に押し進め、これによって前記ボールベアリングが前記位置決めピンを押し進め、前記位置決めピンを前記本体から外へ延ばし、前記ねじを前記穴から抜くことによって前記ばねが前記位置決めピンに前記ボールベアリングを上向きに押し進めさせる、ばねとを備える装置。
【請求項２０】
前記ねじ、前記ボールベアリングチャネル、および前記ピンチャンバは、前記ねじの移動の方向および前記位置決めピンの移動の方向が互いにほぼ直角になるように構成される、請求項１９に記載の装置。
【発明の詳細な説明】
【技術分野】
【０００１】
[0001]本発明は、ディフェンス・マイクロエレクトロニクス・アクティビティ（ＤＭＥＡ）によって授与された契約ＨＱ０７２７−１７−Ｆ−１４２０の下に政府支援を受けてなされたものである。政府は、本発明に一定の権利を有する。
【０００２】
[0002]本発明は、一般に、光学部品を位置決めする位置決め装置に関し、より詳細には、光学部品を位置決めする位置決め装置であって、位置決めピンが上から下にねじによって動かされること可能にするボールベアリングを用いる位置決め装置に関する。
【背景技術】
【０００３】
[0003]レーザーシステムなどの様々な光学系は、その光学系が研究室環境で使用されているものであれ、実際の応用に使用されているものであれ、共通のテーブルに固定されることの多い、光源、レンズ、反射器、フィルタ、屈折器等などのいくつかの光学部品を必要とする。これらの光学部品は、光学ビームが望ましいやり方でシステムを貫いて伝搬するように互いに精密に位置合わせされなければならない。したがって、高精度の調整装置またはナッジャが、しばしばテーブルに固定されるとともに、特定の光学部品に当接して配置され、ナッジャは、正確な位置合わせのために構成部品に対して精密な位置調整を行うように光学部品を押圧するねじ山数の多いねじを備える。異なるタイプのナッジャは、異なるねじ山数のねじを有し、所望の精度に応じて選択される。
【発明の概要】
【発明が解決しようとする課題】
【０００４】
[0004]上述したタイプの典型的なナッジャは、光学部品が移動されているのと同じ方向から適切なレンチによって回転される調整ねじを必要とする。例えば、光学部品がｘ−ｙ方向に移動させられている場合には、その軸に沿ってかつ構成部品の反対側でねじの頭部に接近する必要がある。しかしながら、光学系によっては、様々な構成部品が互いの近くにまたは系の縁の近くに配置される必要があり得、系の縁の近くではしばしば空間が限られ、そのことによりナッジャを所望の位置に配置する能力が制限される。したがって、システムをどのくらい小さくできるかについて制限があり得、これは、小型にされる必要があるシステムにとっては望ましくないものであり得る。必要とされているものは、構成部品が実際に移動している方向に直角に構成されるねじを調節することによって調整ピンの移動が行われるトップダウン調整装置である。
【課題を解決するための手段】
【０００５】
[0005]本開示は、トップダウンにより光学部品を位置決めする位置決め装置を説明する。この装置は、上面、互いに対向した側面、前面、および背面を有する本体を備える。本体は、上面を通って本体の中に延びるねじ穴と、前面を通って本体の中に延びるピンチャンバと、本体内に形成され、ねじ穴およびピンチャンバと連通しているボールベアリングチャネルとをさらに備える。装置は、ボールベアリングチャネル内に配置される複数のボールベアリングと、ねじ穴の中にねじ止めされるとともに、ボールベアリングチャネルの上端でボールベアリングのうちの一番上のボールベアリングに結合されるねじとをさらに備える。位置決めピンは、ピンチャンバの内部に配置され、ピンチャンバから外へ延び、位置決めピンは、ボールベアリングチャネルの下端でボールベアリングのうちの一番下のボールベアリングに結合される。ねじを穴の中にねじ止めすることによってねじがボールベアリングを下方に押し進め、これによってボールベアリングが位置決めピンを押し進め、位置決めピンを本体から外へ延ばす。
【０００６】
[0006]本発明のさらなる特徴は、添付図面と共に読まれる、以下の説明および添付の特許請求の範囲から明らかになろう。
【図面の簡単な説明】
【０００７】
【図１】[0007]トップダウン調整を有する位置決め装置の等角図である。
【図２】[0008]図１に示された位置決め装置の側面図である。
【図３】[0009]図１に示された位置決め装置の断面等角図である。
【発明を実施するための形態】
【０００８】
[0010]トップダウン位置決め装置に向けられた本開示の実施形態に関する以下の説明は、本質的に例示にすぎず、本発明またはその応用もしくは用途を限定することを意図するようなものではない。例えば、位置決め装置は、光学系内の光学部品を配置するための特定の応用を有する。しかしながら、当業者によって理解されるように、位置決め装置は、他の応用を有する。
【０００９】
[0011]図１は、特定の応用のために所定の形状を有する、アルミニウムなどの任意の適切な材料で作製される本体１２を備える高精度位置決め装置１０の等角図であり、図２は、その側面図であり、図３は、その破断等角図である。本体１２は、装置１０がテーブル（図示せず）に取り付けられることを可能にする溝穴３６を有する取り付けフランジ１６を備える。微細ピッチねじ１４は、本体１２の上面２２を通って延びる穴２０の内部に固定されたねじ山付きスリーブ１８の中にねじ止めされる。ねじ１４は、ねじ１４を回転させ、それを本体１２にねじ止めたり、そこからねじ１４を外したりするために、適切なレンチ（図示せず）を受け入れる開口部２４を備える。ねじ１４の下端は、下向きに延びるピン２８の上端に当接して配置される丸みのあるこぶ２６を備える。ピン２８の下端は、曲がったボールベアリングチャネル３４の内部に配置される一連のボールベアリング３２のうちの一番上のボールベアリングに当接して配置される。一番下のボールベアリングは、円筒状チャンバ３８を通って本体１２の前面４２から外へ延びる調整ピン４０の後端に当接して配置され、このピン４０は、環状部材４４を備える。図示されるように、ばねカバー板５０は、チャンバ３８を覆うように前面４２にボルト止めされ、ピン４０は、板５０を通って延びる。ばね４６が、チャンバ３８の内部に配置され、環状部材４４とカバー板５０との間で張った状態にあり、ピン４０は、ばね４６を通って延びる。ボールベアリングカバー板６０（図２に図示せず）は、チャネル３４にボールベアリング３２が装填されることを可能にし、ボルト６４によって本体１２の側面６２にボルト止めされる。
【００１０】
[0012]ねじ１４がスリーブ１８にねじ止めされると、ピン２８はボールベアリング３２を押圧し、ボールベアリング３２はピン４０を押圧し、光学部品（図示せず）の位置を調整するためにばね４６の付勢に逆らってピン４０を延ばす。このように、ねじ１４の下向き移動は、ピン４０の横向き移動に変換され、それによって光学部品は、トップダウンにより配置することができる。ねじ１４がスリーブ１８からねじが抜かれると、ばね４６の付勢により環状部材４４を押圧し、環状部材４４は、ピン４０を本体１２の中に後退させる。ピン４０は、図１〜図３では完全に後退した位置で示されている。
【００１１】
[0013]チャネル３４は、ねじ１４が本体１２の後面５４から離れるように移動することを可能にするためにほぼＪ形を有する。言い換えれば、チャネル３４は、本体１２の後面５４の方へ、次いで前面４２の方へ曲がり、それによってねじ１４はより前方に移動することができ、本体１２はより小型にされ得る。この特定の実施形態では、ピン２８からピン４０への運動の変換は９０°であることに留意されたい。しかしながら、これは、ピン２８および４０に対する角度が任意の所望の角度であり得るという点で特有の応用であり、チャンバ３８およびボールベアリングチャネル３４の構成がそれらの角度のために適切に構成される。
【００１２】
[0014]前述の説明は、本開示の例示的な実施形態を開示および説明するものにすぎない。当業者は、そのような説明から、ならびに添付図面および特許請求の範囲から、添付の特許請求の範囲に定められるように本開示の趣旨および範囲から逸脱することなく、様々な変更、修正、および変形がなされてもよいことを容易に認識するであろう。
【図１】
2021530650.tif 000003
【図２】
2021530650.tif 000004
【図３】
2021530650.tif 000005
【国際調査報告】
2021530650.tif 000006
2021530650.tif 000007